(57)【特許請求の範囲】
【請求項１】
少なくとも前後一対の針床を対向配置させた横編機を使用して編成される編地の針床上の所定区間の編針に係止される終端部の編目に対し、前記区間の一端を起点とし、他端に向けて順次伏せ目処理を施す方法において、前記編地の伏せ目処理される区間を幾つかに区画し、各区画毎に起点側の編地を保持するようにする針床上に係止させ、該起点側を針床上に保持したままで区間内の各編目に対し、順次伏せ目処理を施した後、前記針床上に係止された編地の伏せ目処理される起点側を針床上から解放するものであり、前記針床上への編地の係止は、伏せ目処理される各区間の起点側に位置する１つまたは少数の空き針に編糸を供給してフックすることで行い、前記係止された編地の針床からの解放は前記フックした編糸を針から払い落とすことで行うことを特徴とする編地の伏せ目処理方法。
【請求項２】
少なくとも前後一対の針床を対向配置させた横編機を使用して編成される編地の針床上の所定区間の編針に係止される終端部の編目に対し、前記区間の一端を起点とし、他端に向けて順次伏せ目処理を施す方法において、前記編地の伏せ目処理される区間を幾つかに区画し、各区画毎に起点側の編地を保持するようにする針床上に係止させ、該起点側を針床上に保持したままで区間内の各編目に対し、順次伏せ目処理を施した後、前記針床上に係止された編地の伏せ目処理される起点側を針床上から解放するものであり、前記針床上への編地の係止は、伏せ目処理される区間の起点側に位置する編目を針床上の空き針に分割して掛け渡すことで行い、前記係止された編地の針床からの解放は、前記分割した編目を針から払い落とすことで行うことを特徴とする編地の伏せ目処理方法。
【請求項３】
前記編糸のフックまたは編目の分割が、伏せ目処理の編成の開始直前になされることを特徴とする請求項１または２に記載の編地の伏せ目処理方法。
【請求項４】
前記分割される編目が伏せ目処理される編目／または伏せ目処理の際に形成される編目であることを特徴とする請求項２に記載の編地の伏せ目処理方法。
【発明の詳細な説明】
【０００１】
【発明の属する技術分野】
本発明は横編機により編成される編地終端部に施される伏せ目処理の改良に関する。
【０００２】
【従来の技術】
セータ等のニット製品の編地終端部の解れ止め処理として伏せ目処理方法が知られている。この伏せ目処理を横編機により行う方法としては例えば本出願人の特開平２−９１２５４号公報に開示されるように編地の編み終わりの編目コースを編地の一端から他端に向けて編目を形成しながら形成した編目を隣接する編目に重ね順次編針から解放していくものである。編地の一端から他端に向けて順次伏せ目処理されて編針から解放されていくと、編地の自重や編地引下げ装置の作用により編地に対し下向きのテンションがかかる。編針に係止されている編目が少なくなるにつれて針に係止される編目にかかるテンションが次第に大きくなるため同じループ長（または度目値）のもとで編目形成が行われるにもかかわらずテンションの影響で形成される編目が引き伸ばされる。その結果、伏せ目箇所のチェインステッチを構成する各編目の大きさが不斉一となってしまうためこのような方法により得られた編地は製品の商品価値を低下させる原因となっていた。
【０００３】
そこで上記した問題を対処するために本出願人は先に特開平７−１３３５６１号公報に開示の方法を提案した。この方法は伏せ目処理に先だって伏せ目処理を行う編目を係止している針床の編針と対向する側のニードルベッドの空き針とに亙って吊下用編糸を掛け渡し、この吊下用編糸を掛け渡した状態で編地の一端から他端に向けて編目を順次伏せ目処理するものである。この方法によると伏せ目された編目は針から解放されていくが他方のニードルベッドの編針に係止される吊下用編糸が伏せ目処理され編針から解放されていく編目を保持するので伏せ目処理の進行に伴い編地に対する下向きのテンションが次第に大きくなることを防ぎ伏せ目処理される編目を斉一にすることができる。
【０００４】
しかし、この方法では伏せ目処理を施す区間のニードルベッド上の所定区間に吊下用編糸を掛け渡すための多数の空針が存在することが必要条件となり、例えば所定区間の前後ニードルベッドの編針全部に編目が係止されていて、空き針が確保できない場合には上記方法は実施できないなど編地の編成条件などによる制約を受ける。また、この方法では編成後に吊下用編糸を編地から除去する作業が必要となったり、吊下用編糸として抜き糸や水溶性の糸を使用する場合にはその準備が必要となる。
【０００５】
【発明が解決しようとする課題】
本発明は、実施に際し、編地の編成条件などによる制約を受けることなく伏せ目処理される編目の大きさを斉一にする伏せ目処理方法を提供することを目的とする。
【０００６】
【課題を解決するための手段】
本発明では、少なくとも前後一対の針床を対向配置させた横編機を使用して編成される編地の針床上の所定区間の編針に係止される終端部の編目に対し、前記区間の一端を起点とし、他端に向けて順次伏せ目処理を施す方法において、前記編地の伏せ目処理される区間を幾つかに区画し、各区画毎に起点側の編地を保持するようにする針床上に係止させ、該起点側を針床上に保持したままで区間内の各編目に対し、順次伏せ目処理を施した後、前記針床上に係止された編地の伏せ目処理される起点側を針床上から解放するものである。前記針床上への編地の係止は、伏せ目処理される各区間の起点側に位置する１つまたは少数の空き針に編糸を供給してフックすることで行い、前記係止された編地の針床からの解放は前記フックした編糸を針から払い落とすことで行う。あるいは、前記フックによる針床上への編地の係止に代えて伏せ目処理される区間の起点側に位置する編目を針床上の空き針に分割して掛け渡すことで行い、前記係止された編地の針床からの解放は、前記分割した編目を針から払い落とすことで行う。区間内の編目に対し順次伏せ目処理が施される間、起点側の編地が針床上に保持されるため伏せ目処理の進行に伴い編目が針から解放されていっても起点側と伏せ目処理が未だ施されていない編目を係止した針により編地を針床上に吊下するので伏せ目の進行に伴う編地の自重等に対する影響は受け難く伏せ目処理される編目は斉一となる。そして伏せ目編成の終了後に起点側の編地を針床から解放することで編成を終える。
【０００７】
【発明の実施の形態】
本発明の伏せ目処理方法について好適な実施の形態を以下図面とともに説明する。図１は編成ブロック図を示す。また図２は針床上の針と伏せ目処理進行中の編地との関係を示した図である。本実施の形態では平編組織からなる編地１を例に編地の最終コースの編成を行った後、最終コースの編目を紙面左側から右方向に向かって伏せ目処理する場合について説明する。図中左の数字は編成ブロックの番号を示し、その隣の矢印は給糸部材の移動方向を示す。また下方のアルファベットはニードルベッドの各針を示す。また編地編成に使用される針数は説明の便宜上実際の針数よりも少なくした。
【０００８】
まずブロック１で給糸部材８により編糸が前針床の針ｂ，ｃ，ｄ，…，ｓ，ｔに供給され編地コース３の編成が行われた後、続くブロック２において編糸が針ｔ，ｓ，…，ｄ，ｃ，ｂに供給され編地の最終コース４の編目コースの編成が行われる。次にブロック３からブロック８までは前針床の針ｂ，ｃ，…，ｓに係止される編地１の最終コースの各編目に対して針ｂに係止される編目４ｂから順次伏せ目処理の編成が行われるところを示す。ブロック３において針ｂに係止される編目４ｂの伏せ目処理を施す際に針床上の前針床上の空き針ａに対して編糸をフックさせた後、針ｂに編糸を供給して編目５ｂを形成する。編糸がフックされた箇所を符号６で示す。続いて針ｂに形成された編目５ｂを後針床の対向する針に移すとともに給糸部材を針ｂを越えて左側に移動させる。そして後針床に移動された編目５ｂを再度前針床の針ｃに移して針ｃに係止される編目４ｃに重ねる
。これにより針ｂに係止されていた編目４ｂの伏せ目処理を終える。次にブロック４で針ｃに係止される編目４ｃ，５ｂの伏せ目処理を施すために針ｃに編糸を供給して編目５ｃを形成した後、針ｃに形成された編目５ｃを後針床の対向する針に移す。そして給糸部材を針ｃを越えて左側に移動させた後、後針床に移動された編目５ｃを前針床の針ｄに移し替える。ブロック５以降は上記ブロック４の編成を残る針ｄ〜ｓに係止される編目４ｄ，４ｅ…に対して順次行うことで編地１の最終コースの編目４に対して伏せ目処理を施す（ブロック５〜８）。各編目に対し伏せ目処理が施されている間も空き針ａにフックされた編糸６は針ａに保持された状態を保つ。このため図に示すように針ａは伏せ目処理される編地の起点側を保持することになり、伏せ目処理の進行に伴い最終コースの編目４が順次針から解放されていっても針ａと伏せ目処理が未だ施されていない編目を係止した針により編地１を針床上に吊下することになる。編地１が編み幅方向の両側で吊下されるので伏せ目の進行に伴う編地１の自重等に対する影響を抑えることができる。横編機側に開閉可能な前後一対の回転ロールを有する引き下げ装置を備えている場合には、ロール間を閉鎖してロールで編地を挟持するとともにロールの回転を停止するように横編機を制御すれば更に好ましい。
【０００９】
また、別の作用として伏せ目処理の起点側が針床上の固定箇所（針ａ）に位置決めされているため、この固定箇所を基準として編目（伏せ目処理の際に形成されるチェインステッチ５）の形成が行われる。編地の編み幅や編み丈等の寸法は針床上の針によって規定される寸法よりも実際は短く、編機の針から解放された時点で編地は収縮する。しかし、伏せ目処理の間、起点側が固定されているため適当なテンションが編目形成の際に与えられるので伏せ目箇所のチェインステッチ５は少なくとも所定の長さを得ることができる。従来方法の吊下用編糸を使用して伏せ目処理を施した場合では伏せ目処理の進行に伴う編地の自重による悪影響は防げるが、それと同時に吊下用編糸が伏せ目処理の際に形成される編目に対しても編機の引き下げ作用を及ぼさせなくさせるため編目形成の際に引き下げ方向のテンションがかからず編目の度が詰んでしまい伏せ目箇所のチェインステッチの長さが短くなるという問題があったが、本発明の伏せ目処理方法ではそれがなくなるというメリットがある。
【００１０】
ブロック８において針ｓに係止される編目４ｓに対して伏せ目処理が施された状態では編地１は針床上の針ａと針ｔによってのみ係止される。
次にブロック９，１０で針ｔに編糸を２回供給して編目を形成した後、続くブロック１１で、編糸を供給しない状態で針ａ，針ｔを進退動させ針ａでフックしていた編糸６と針ｔに係止される編目を針から解放させ、編地１を針床から払い落とし編地の編成を完了する。
【００１１】
＜変形例＞
次に変形例を示す。上記した実施の形態では編糸を空き針にフックさせたが、ここでは編成された編地の針に係止される最終コースの編目を前後針床の針に分割し、分割された編目の一方を針に係止させた状態で分割された編目の他方に続けて伏せ目処理を施すようにした例である。編目を分割する方法としては例えば割増やし、トランスファーニット、スプリットニット等と呼ばれる所謂増し目の技術が使用される。ベラ針の場合では、特公昭６２−５２０６３号公報に開示されるように増し目をする編目を係止した針を編目を移す位置まで進出させ、他方の針床の針を編目を受ける位置へと進出させると同時に前記編目を移す位置まで進出された針に対してのみ編糸を供給して編目形成が行われる。これより編目が前後の針床の針に掛け渡され分割されるとともに続く編目が形成される。また、コンパウンドニードルの場合では、上記による方法かあるいは特開平３−２７９４４８号公報に開示されるように給糸を伴わずに編目のトランスファーの際にスライダーの進退動を制御して編目を前後の針に掛け渡す方法がある。
【００１２】
図３は上記特開平３−２７９４４８号公報に開示のコンパウンドニードルにより編目の分割する編成ブロックを示す。図３のブロック３，４および１１を除いては上記図１と同じなのでの説明は省略する。最終コースの編成後、ブロック３ａでは、伏せ目処理開始に際し、前針床の針ｂに係止される最終コースの編目を対向する後針床の針ｂにも掛け渡して編目を分割させる。次にブロック３ｂにおいて前針床の針ｂに対し編糸を供給して最終コースの編目に続くチェインステッチを形成した後、該形成された編目を対向する後針床の針ｃに移動させた後、前針床の針ｃに移動させ針ｃが係止する編目に重ねる。ブロック４〜１０までは図１と全く同じ方法で伏せ目処理が行われる。そして伏せ目処理終了後、ブロック１１において分割された編目の一方を係止する後針床の針ｂと前針床の針ｔに係止される編目を針から払い落とす。上記ブロック３ａに最終コースの編目を分割したが、これに代えて伏せ目処理の際に形成されるチェインステッチ、例えばブロック３ｂで形成される編目を分割して行っても構わない。伏せ目終了後、針床上の針に保持されていた分割された一方の編目が針から解放されたときには図１の場合と同じループ構造を得ることになる。しかし、編目を分割し、分割した編目で伏せ目の起端側を保持するため先の編糸をフックさせる方法に比べ該箇所における編糸の弛みが発生し難いといったメリットがある。
【００１３】
また、図４に別の変形例を示す。これは編地編成に使用された編糸が複数存在するような場合に適用可能で、上記した実施の形態のように編地を針床上に係止するために針床上の空き針に編糸をフックさせたり、編目を分割して掛け渡す方法に代えて、複数ある編糸の中の不使用状態にある編糸を起点側に位置する針床の空き針に編地を構成する編糸と絡合するようにフックさせることで編地を針床上係止させた例である。編地１０の最終コースの編目コース１４を給糸部材１７を左方向に移動させながら行った後、不使用状態にある編糸の給糸部材１８を右方向に移動させ針ｗ，ｘ，ｙに編糸をフックさせ、その後、給糸部材１７により伏せ目編成を開始させることで給糸部材１７，１８の編糸同士が絡合する。
【００１４】
尚、本発明の伏せ目処理方法を比較的理解しやすい平編み組織からなる一片の編地を例を示して説明したが、編地の編組織はゴム編など平編み組織以外でもよいし、編成される編地が断面２層構造の筒状の編地でもよい。また、前身頃および後身頃の各編地が前後の各ベッドの針に係止された状態から両編地を接合させながら伏せ目処理する例えば特開平２−９１２５４号公報、特開平４−２０９８５５、特開平７−３１６９５８号公報などを始め種々の伏せ目編成に対しても適用できるのは言うまでもない。
また、上記した各実施の形態例では伏せ目処理の編成開始の直前に編地の編幅外に位置する前針床の単一の空き針ａを使用するようにしたがそれらに限定されるものではなく伏せ目処理される編地の起点側を保持し本発明と同作用を発揮する態様であれば適宜変更可能である。よって伏せ目処理の起点側を保持するための空き針としては編幅の内外はもとより前後針床の何れの針を使用したり、若しくは伏せ目処理の間に編目が解放された針を使用してもよい。
また、区間内に伏せ目処理される編目が多数存在する場合には、区間を幾つかに区画し、各区画毎に起点側の編地を保持するようにすれば抗張力の小さい切れ易い糸の場合に都合がよい。この場合には針床上に保持された編糸や編目は伏せ目処理が完了した後に一度に落とす。
また、伏せ目処理の起点側を針床上に保持するのは、編地の自重の影響を受けない範囲であれば伏せ目処理が開始された後の伏せ目処理が数回行われてから行うようにしたり、あるいは、伏せ目処理の開始の前の編地の最終コースの編成の際かそれより数コース前に行うようにしてもよい。伏せ目処理が開始される前に行う場合には、伏せ目処理に使用される編糸と異なる編糸を使うことも可能である。
【００１５】
【発明の効果】
上記したように本発明の方法では、少なくとも元々あった空き針か、あるいは伏せ目処理の際に形成される空き針の少なくとも１つを利用すればよいのでゴム編地や筒状の編地のように全針を使用して編成された編地に対しても実施でき従来のような編成条件による制約がなくなる。
【図面の簡単な説明】
【図１】本発明の実施の形態の伏せ目処理の編成ブロック図を示した図である。
【図２】上記編成による針床上の針と伏せ目処理進行中の編地との関係を示した図である。
【図３】本発明の他の実施の形態による伏せ目処理の編成ブロック図を示した図である。
【図４】本発明の他の実施の形態による編地の針床上における保持の状態を示した図である。
【符号の説明】
１，１０…編地、３，４…編目コース、５…チェインステッチ、８，１７，１８…給糸部材
【図１】
0003541098.tif 000002
【図２】
0003541098.tif 000003
【図３】
0003541098.tif 000004
【図４】
0003541098.tif 000005